(57)【要約】【課題】  ボルトの頭部やナットの外周方向と直角な方向においても、これらボルトの頭部やナットを確実に締め付けたり、緩めたりすることができるようにする。【解決手段】  柄部２の少なくとも一端にリング状の口部３Ａ・３Ｂが形成されためがねレンチ１について、口部３Ａ・３Ｂの一縁に、座金４等を一体に接合することで口部３Ａ・３Ｂの内方へ突出する受部５が形成され、口部３Ａ・３Ｂにボルト６の頭部７やナットを嵌め入れれば、これらが前記受部５によって受けられた状態となり、その結果、ボルト６やナットの締め付け作業や緩め作業の際にこれらが口部３Ａ・３Ｂから抜け落ちないようにする。【選択図】  図４
2009107039.tif 000002
【特許請求の範囲】
【請求項１】
柄部の少なくとも一端にリング状の口部が形成されためがねレンチにおいて、口部の一縁に、口部内方へ突出する受部が形成されためがねレンチ。
【請求項２】
口部の一縁に、座金が一体に接合されることにより、受部が形成されていることを特徴とする請求項１記載のめがねレンチ。
【請求項３】
柄部の両端に互いに異なる大きさの口部が形成され、各口部に受部が形成されている、請求項１または請求項２記載のめがねレンチ。
【発明の詳細な説明】
【技術分野】
【０００１】
本発明は、ボルトやナットを締め付けたり、緩めたりするのに用いられるめがねレンチに関する。
【背景技術】
【０００２】
めがねレンチは、ボルトの頭部やナットに嵌め入れるための口部を柄部の両端に有するいわゆる両口タイプのものが一般に広く用いられているが、柄部の一端にだけ口部を有する片口タイプのものや柄部の一端に口部を有し、他端にはシノが形成されたシノ付きタイプのもの、或いは他端にスパナが形成されたコンビネーションタイプもの等があり、また柄部が通常のものより短くなっているショートタイプものも知られている。
【発明の開示】
【発明が解決しようとする課題】
【０００３】
めがねレンチは、各種の機械や装置の組み立て、或いは分解等に広く用いられる使用頻度の高い工具である。このめがねレンチの口部は、通常、１２角形であるが、六角のものも知られている。いずれの口部を有するめがねレンチでもボルトの頭部やナットの外周を囲むように口部が嵌められるため、めがねレンチは、これと同様の用途を有するスパナに比べて比較的大きなトルクをかけることができるという利点がある。
【０００４】
しかしながら、めがねレンチの口部は、リング状であって、ボルトの頭部やナットに嵌め入れた際、その外周方向においては安定的に嵌合状態が維持されるものの、外周方向と直角な方向においては、ボルトの頭部やナットと係合する部分がまったくないため、めがねレンチの口部からボルトの頭部やナットが外れてしまう場合があり、特に機械等の外底面において、ボルトの頭部を締める場合に、めがねレンチの口部からボルトがすべり落ち易いという不都合があった。
【０００５】
本発明の目的は、ボルトの頭部やナットの外周方向と直角な方向においても、これらボルトの頭部やナットを確実に締め付けたり、緩めたりすることができるめがねレンチを提供することにある。
【課題を解決するための手段】
【０００６】
請求項１記載の本発明は、柄部の少なくとも一端にリング状の口部が形成されためがねレンチにおいて、口部の一縁に、口部内方へ突出する受部が形成されたものである。受部は、ボルトの頭部やナットを受ける機能を有するものであって、口部の全周にわたって形成されても良いし、口部の一部に形成されても良い。
【０００７】
また、本発明が適用されるめがねレンチは、後述する柄部の両端に口部が形成された両口タイプのものでも良いし、柄部の一端にのみ口部が形成された片口タイプのもの、或いはシノ付きめがねレンチやコンビネーションめがねレンチ等、種々のめがねレンチが含まれる。
【０００８】
請求項２記載の本発明は、前記請求項１記載のめがねレンチについて、口部の一縁に、座金が一体に接合されることにより、受部が形成されていることを特徴とするものである。
【０００９】
請求項３記載の本発明は、前記請求項１または請求項２記載のめがねレンチについて、  柄部の両端に互いに異なる大きさの口部が形成され、各口部に受部が形成されているものである。
【発明の効果】
【００１０】
請求項１記載のめがねレンチによれば、その口部にボルトの頭部やナットを嵌め入れることで、これらが受部によって受けられた状態となるため、締め付け作業や緩め作業の途中でボルトの頭部やナットが口部から抜け落ちることがない。特に、機械や自動車の外底部において作業を行う場合に有効である。
【００１１】
請求項２記載のめがねレンチによれば、口部の一縁に市販の座金を一体に接合させるだけで受部が形成されるという利点がある。
【００１２】
請求項３記載のめがねレンチでは、異なる大きさの口部について、それぞれ前述した効果が得られる。
【発明を実施するための最良の形態】
【００１３】
次に、本発明を両口タイプのめがねレンチに適用した場合の実施形態について図面にしたがって説明する。
【００１４】
図１および図２に示すように、めがねレンチ１は、通常のものと同様、手で握るための柄部２と、柄部２の両端に形成されたリング状の口部３Ａ・３Ｂとを備え、柄部２の両端部分２ａは口部３Ａ・３Ｂに対して所定の角度が付されている。また、口部３Ａ・３Ｂはその内周面がそれぞれ１２角形であって、互いに異なる大きさとなっている。
【００１５】
本実施形態では、口部３Ａ・３Ｂの一縁にこれら口部３Ａ・３Ｂとほぼ同じ外径を有するリング状の座金４が一体に接合されており、また座金４の内縁４ａは口部３Ａ・３Ｂの内縁３ａよりも内方に突出した形状となされ、これにより座金４の内縁寄り部分がボルトの頭部やナットを受ける受部５となされている。
【００１６】
次に、本実施形態に係るめがねレンチ１を使用して六角ボルトやナットを締めたり、緩めたりする場合について述べると、図３および図４に示すように、二枚の板状部材６Ａ・６Ｂを六角ボルト７とナット８とで連結する場合、めがねレンチ１の口部３Ａ内に六角ボルト７の頭部９を入れれば、該頭部９の下面９ａの外縁寄り部分が受部５によって受けられるため、六角ボルト７が口部３Ａから抜け落ちることがない。
【００１７】
また、図５に示すように、ナット８についても本発明に係るめがねレンチ１を使用して回転させる場合、ナット８がめがねレンチ１における口部３Ａの受部５によって受けられた状態となるため、ナット８が抜け落ちることもない。
【００１８】
本実施形態では、めがねレンチ１の口部３Ａ・３Ｂの下縁に座金４を一体に接合することで口部３Ａ・３Ｂに受部５を形成したが、座金４を用いることなく、口部３Ａ・３Ｂの下縁に受部５を一体に成形するようにしても良い。
【産業上の利用可能性】
【００１９】
本発明のめがねレンチは、簡単な構造によって、ボルトやナットを確実に締めたり、緩めたりすることができるため、幅広い利用が期待できる。
【図面の簡単な説明】
【００２０】
【図１】本発明の実施形態に係るめがねレンチの正面図である。
【図２】同実施形態に係るめがねレンチの側面図である。
【図３】同実施形態のめがねレンチにおいて、その一方の口部にボルトの頭部が嵌め入れられた状態を示す正面図である。
【図４】同実施形態に係るめがねレンチの使用例を拡大して示す側面断面図である。
【図５】同実施形態に係るめがねレンチの他の使用例を拡大して示す側面断面図である。
【符号の説明】
【００２１】
１  めがねレンチ
２  柄部
３Ａ・３Ｂ  口部
４  座金
５  受部
７  ボルト
８  ナット
９  ボルト頭部
【図１】
2009107039.tif 000003
【図２】
2009107039.tif 000004
【図３】
2009107039.tif 000005
【図４】
2009107039.tif 000006
【図５】
2009107039.tif 000007